(57)【要約】【課題】使用者が浴槽に入っているときと、入っていないときとで欲しい情報が異なることに合わせて、欲しい情報を限られた大きさの中でわかりやすく表示する。【解決手段】本発明の風呂給湯装置は、水位センサ２１により浴槽の水位を検出し、その水位の変化から入浴者有無判定手段２８が浴槽に入浴者がいるかどうかを判定し、その判定結果により表示制御手段２９が風呂リモコン２５の液晶ディスプレイ２６の表示内容を変更するので、使用者が浴槽にいる場合と浴槽にいない場合とでそれぞれ欲しい情報をわかりやすく表示することが可能となる。【選択図】図１
2012107767.tif 000002
【特許請求の範囲】
【請求項１】
浴槽と連結する風呂給湯装置内に設けられ浴槽水位を検出する水位センサと、前記風呂給湯装置を浴室から操作する風呂リモコンと、前記風呂リモコンに設けた表示手段と、前記水位センサにより浴槽水位を監視し入浴者の有無を判定する入浴者有無判定手段と、前記入浴者有無判定手段の判定する入浴者の有無により前記風呂リモコンの表示を制御する表示制御手段を有し、前記表示制御手段は入浴者の有無により表示内容を変更する風呂給湯装置。
【請求項２】
前記入浴者有無検出手段により入浴が開始されてから経過した入浴時間をカウントする入浴タイマーを更に有し、前記表示制御手段は入浴者が有る間は前記入浴タイマーによりカウントした入浴時間を前記表示手段で表示する請求項１に記載の風呂給湯装置。
【請求項３】
前記浴槽内の湯の湯温を測定する風呂水温度センサと、前記水位センサが検出する水位と前記風呂水温度センサが検出する温度より適切な入浴時間を算出する適切入浴時間算出手段を更に有し、前記表示制御手段は前記適切入浴時間算出手段で算出した適切な入浴時間と前記入浴タイマーによりカウントした入浴時間を前記表示手段で表示する請求項２に記載の風呂給湯装置。
【請求項４】
前記風呂リモコンと異なる場所に設けた第２のリモコンと、前記風呂リモコンと前記第２のリモコンの間で通信を行う通信手段を更に有し、前記第２のリモコンは第２の表示手段と、前記第２のリモコンの表示を制御する第２の表示制御手段を有し、前記第２の表示制御手段は入浴者が有る間は前記入浴タイマーによりカウントした入浴時間を前記第２の表示手段にも表示する請求項２に記載の風呂給湯装置。
【請求項５】
前記第２の表示制御手段は、入浴時間の上限時間を設定する上限時間設定部を有し、前記第２の表示制御手段は前記入浴タイマーがカウントした入浴時間が前記上限時間設定部の設定する上限時間に達したところで前記第２の表示手段で警告表示する請求項４に記載の風呂給湯装置。
【発明の詳細な説明】
【技術分野】
【０００１】
本発明は、ヒートポンプ式やガス、石油などの燃焼式などの風呂給湯装置に関するものである。
【背景技術】
【０００２】
従来より、風呂給湯装置においては、浴槽の傍に熱源の制御を各種設定するリモコンを備え、そして熱源や配管などに各種センサを設けることで、温度や水位を自動制御し、またリモコンでは、温度、水位、時間などを表示して利便性を高めていた。
【０００３】
そのようなリモコンの制御として、浴槽に入浴者がいる場合と、いない場合とで、表示の点灯／消灯を制御するものがある。即ち、入浴者がいなければ表示を消すことで、省エネ効果を高めることができるものがある（特許文献１参照）。
【先行技術文献】
【特許文献】
【０００４】
【特許文献１】特開２００１−８２７９９号公報
【発明の概要】
【発明が解決しようとする課題】
【０００５】
しかしながら、人が浴槽に入っていなくても、欲しい情報はあるものである。そして浴槽に入っているときに必要とする情報と、浴槽から出ているときに必要とする情報は異なるものであり、それらを全てリモコンで表示してしまうと、一つ一つの情報が小さくなって見えにくくなってしまうため、最低限の情報のみの表示にせざるを得なかった。
【０００６】
本発明は、上記課題を解決するためになされたものであり、使用者の欲しい情報を限られた大きさの中でわかりやすく表示することを目的とする。
【課題を解決するための手段】
【０００７】
本発明の風呂給湯装置は、浴槽と連結する風呂給湯装置内に設けられ浴槽水位を検出する水位センサと、前記風呂給湯装置を浴室から操作する風呂リモコンと、前記風呂リモコンに設けた表示手段と、前記水位センサにより浴槽水位を監視し入浴者の有無を判定する入浴者有無判定手段と、前記入浴者有無判定手段の判定する入浴者の有無により前記風呂リモコンの表示を制御する表示制御手段を有し、前記表示制御手段は入浴者の有無により表示内容を変更する構成である。
【０００８】
この構成により、水位センサにより浴槽の水位を検出し、その水位の変化から入浴者有無判定手段が浴槽に入浴者がいるかどうかを判定し、その判定結果により表示制御手段が風呂リモコンの表示手段の表示内容を変更するので、使用者が浴槽にいる場合と浴槽にいない場合とでそれぞれ欲しい情報をわかりやすく表示することが可能となる。
【発明の効果】
【０００９】
本発明によれば、使用者が浴槽にいる場合といない場合とで、風呂リモコンの表示手段は別々の表示をすることができ、それぞれの場合での欲しい情報を、限られた大きさの中でわかりやすく表示することができる。
【図面の簡単な説明】
【００１０】
【図１】本発明の実施の形態１における風呂給湯装置の構成図
【図２】同実施の形態における入浴者が有るときの表示手段の構成図
【図３】同実施の形態における入浴者が無いときの表示手段の構成図
【図４】本発明の実施の形態２における風呂給湯装置の要部構成図
【図５】同実施の形態における入浴者が有るときの表示手段の構成図
【図６】本発明の実施の形態３における風呂給湯装置の要部構成図
【図７】同実施の形態における入浴者が有るときの表示手段の構成図
【図８】本発明の実施の形態４における風呂給湯装置の要部構成図
【図９】同実施の形態における入浴者が有るときの第２の表示手段の構成図
【発明を実施するための形態】
【００１１】
第１の発明は、浴槽と連結する風呂給湯装置内に設けられ浴槽水位を検出する水位センサと、前記風呂給湯装置を浴室から操作する風呂リモコンと、前記風呂リモコンに設けた表示手段と、前記水位センサにより浴槽水位を監視し入浴者の有無を判定する入浴者有無判定手段と、前記入浴者有無判定手段の判定する入浴者の有無により前記風呂リモコンの表示を制御する表示制御手段を有し、前記表示制御手段は入浴者の有無により表示内容を変更する構成である。
【００１２】
この構成により、水位センサにより浴槽の水位を検出し、その水位の変化から入浴者有無判定手段が浴槽に入浴者がいるかどうかを判定し、その判定結果により表示制御手段が風呂リモコンの表示手段の表示内容を変更するので、使用者が浴槽にいる場合と浴槽にいない場合とでそれぞれ欲しい情報をわかりやすく表示することが可能となる。
【００１３】
第２の発明は、前記入浴者有無検出手段により入浴が開始されてから経過した入浴時間をカウントする入浴タイマーを更に有し、前記表示制御手段は入浴者が有る間は前記入浴タイマーによりカウントした入浴時間を前記表示手段で表示する構成である。
【００１４】
この構成により使用者が浴槽に入っている場合には入浴時間が表示され、浴槽に入っていない場合には入浴時間は表示せず別のことを表示でき、それぞれの場合での欲しい情報を、限られた大きさの中でわかりやすく表示することができる。
【００１５】
第３の発明は、前記浴槽内の湯の湯温を測定する風呂水温度センサと、前記水位センサが検出する水位と前記風呂水温度センサが検出する温度より適切な入浴時間を算出する適切入浴時間算出手段を更に有し、前記表示制御手段は前記適切入浴時間算出手段で算出した適切な入浴時間と前記入浴タイマーによりカウントした入浴時間を表示手段に表示する構成である。
【００１６】
この構成により、水位センサで全身浴か半身浴かの区別ができ、それと風呂水温度センサで浴槽の湯の温度がわかるので、適切入浴時間算出手段は全身浴か半身浴かの違いと浴槽の湯の温度より適切な入浴時間を算出する。
【００１７】
そして表示制御手段は浴槽に入浴者があれば表示手段で入浴時間とともに適切な入浴時間も表示し入浴者がなければ別のことを表示するので、それぞれの場合での欲しい情報を、限られた大きさの中でわかりやすく表示することができる。
【００１８】
第４の発明は、前記風呂リモコンと異なる場所に設けた第２のリモコンと、前記風呂リモコンと前記第２のリモコンの間で通信を行う通信手段を更に有し、前記第２のリモコンは第２の表示手段と、前記第２のリモコンの表示を制御する第２の表示制御手段を有し、前記第２の表示制御手段は入浴者が有る間は前記タイマーによりカウントした入浴時間を前記第２の表示手段にも表示する構成である。
【００１９】
この構成により、通信手段により第２のリモコンに風呂リモコンより入浴時間を通信することができ、第２のリモコンの第２の表示制御手段が第２の表示手段に入浴時間を表示でき、風呂リモコンとは異なる場所で別の人が入浴時間を知ることが可能になり利便性が向上する。
【００２０】
第５の発明は、前記第２の表示制御手段は、入浴時間の上限時間を設定する上限時間設定部を有し、前記第２の表示制御手段は前記タイマーがカウントした入浴時間が前記上限時間設定部の設定する上限時間に達したところで前記第２の表示手段で警告表示する構成である。
【００２１】
この構成により、第２の表示制御手段は、入浴時間が上限時間を越えると警告表示するので、風呂で入浴者が長時間入浴しすぎて危険な状態になる前に風呂リモコンと異なる場所で別の人が知ることができ、危険を回避できる。
【００２２】
以下、本発明の実施の形態について、図面を参照しながら説明する。なお、この実施の形態によって本発明が限定されるものではない。
【００２３】
（実施の形態１）
図１は本発明の第１の実施の形態における風呂給湯装置の全体構成図である。図１に示されるように、冷媒循環回路１において、圧縮機２、放熱器３、減圧手段４、吸熱器５が冷媒路６により閉回路に接続されている。この冷媒循環回路１は、例えば二酸化炭素などの炭酸ガスを冷媒として、高圧側の冷媒圧力が冷媒の臨界圧以上となる超臨界ヒートポンプサイクルを使用している。そして圧縮機２は、内蔵する電動モータによって駆動され、吸引した冷媒を臨界圧力付近またはそれ以上の圧力まで圧縮して吐出する。
【００２４】
また、熱交換器７は、放熱器３の冷媒流路８と熱交換を行う給湯水流路９と風呂水流路１０を備えている。吸熱ファン１１は、吸熱器５が効率良く吸熱できるように、モータにより回転して周囲の空気を循環させる。
【００２５】
給湯水流路９には、水道水を直接供給する給水管１２と、給湯水流路９から出湯される湯をシャワー１３や蛇口１４などの給湯端末に通水させるための給湯回路１５が接続されていて、給湯回路１５には給湯水流路９で熱せられた湯の温度を測定する給湯温度センサ１６が備えられている。
【００２６】
風呂水流路１０には、浴槽１７に通水するための風呂水加熱路１８が接続されており、この風呂水加熱路１８と、浴槽１７と、風呂水流路１０でとで閉回路となる風呂水循環路を形成している。風呂水加熱路１８には、風呂水を循環させるための送水ポンプ１９と、風呂の湯温を測定するための風呂水温度センサ２０と、浴槽１７の水位を検知するための半導体圧力センサなどによる水位センサ２１を備えている。
【００２７】
浴槽１７に給湯するための風呂注湯路２２は、給湯回路１５と風呂水加熱路１８との間に接続して設けられ、給湯する湯の量を制御するための流量可変弁２３を備えている。
【００２８】
また、制御手段２４は、給湯温度センサ１６、風呂水温度センサ２０、水位センサ２１などからの入力に従い、圧縮機２、減圧手段４、吸熱ファン１１、送水ポンプ１９、流量可変弁２３などを制御する。
【００２９】
また、風呂リモコン２５は浴槽１７やシャワー１３などの近傍に設けられる。風呂リモコン２５は表示手段である液晶ディスプレイ２６と複数のボタンよりなる操作部２７を有するものであり、液晶ディスプレイ２６はドットマトリクス方式であり、全画面を液晶ド
ットの集合により構成したもので、各ドットを白／黒で表現することにより文字や記号、絵柄などを表すものである。
【００３０】
この風呂リモコン２５もまた制御手段２４により制御するものであって、制御手段２４は液晶ディスプレイ２６の表示内容の制御を行い、また使用者が操作する操作部２７からの情報を入力し液晶ディスプレイ２６の表示内容や、圧縮機２、減圧手段４、吸熱ファン１１、送水ポンプ１９、流量可変弁２３などの出力を制御する。
【００３１】
また水位センサ２１は、浴槽１７の水位により生じる圧力を検出するセンサであり、使用者が設定した水位となるように給湯量を制御したり、急激な圧力上昇があれば、浴槽１７に人が入ったと判断でき、また急激な圧力下降があれば浴槽１７から人が出たと判断したりすることもできる。
【００３２】
制御手段２４は、入浴者有無判定手段２８、表示制御手段２９、入浴タイマー３０を含むものである。入浴者有無判定手段２８は水位センサ２１からの入力により浴槽１７に人が入浴しているかどうかを判定する。
【００３３】
水位センサ２１からの出力により一定以上の急激な水位上昇を検知すれば浴槽１７に人が入ったと判定し、逆に一定以上の急激な水位低下を検知すれば浴槽１７から人が出たと判定し、人が入ったと判定してから人が出たと判定するまでの間は浴槽１７に入浴者有り、人が出たと判定してから人が入ったと判定するまでの間は浴槽１７に入浴者無しと判定する。
【００３４】
表示制御手段２９は液晶ディスプレイ２６の表示を制御する。表示制御手段２９は入浴者有無判定手段２８の判定結果を入力としているものであり、入浴者有りの場合と入浴者無しの場合とで、液晶ディスプレイ２６の表示を切り替えるものである。
【００３５】
それは使用者が浴槽１７に入浴しているときと、浴槽から出て浴室で体を洗ったりしているときには欲しい情報が異なるからであり、それぞれの状態に合わせて適した表示に切り替えるものである。
【００３６】
入浴タイマー３０は、入浴者有無判定手段２８の判定結果を入力としているものであり、入浴者ありと判定されてからの経過時間、即ち入浴時間をカウントする。カウントした入浴時間は表示制御手段２９に出力するものであり、表示制御手段２９は入浴者があるときには入浴タイマーがカウントしている入浴時間を液晶ディスプレイ２６に表示するように制御する。
【００３７】
入浴者有無判定手段２８が入浴者有りと判定したときの液晶ディスプレイ２６の表示を図２に示す。図２において３１は時計表示部で現在時刻を表示している。給湯温度表示部３２は、給湯温度センサ１６で測定される給湯温度を表示する。実際に給湯温度センサ１６で測定された給湯温度を表示しても良いし、使用者が設定した給湯温度を表示しても良い。風呂温度表示部３３は、風呂水温度センサ２０で測定される風呂水温度を表示する。実際に風呂水温度センサ２０で測定された風呂水温度を表示しても良いし、使用者が設定した風呂水温度を表示しても良い。水位表示部３４は水位センサ２１で検出する浴槽の水位を表示する。これも実際に水位センサ２１で検出した水位を表示しても良いし使用者が設定した水位を表示しても良い。
【００３８】
入浴時間表示部３５は、入浴タイマー３０がカウントしている入浴者ありと判定されてからの経過時間を表示する。一般に風呂水温度とそれに適した入浴時間があると言われていて、高温に短時間入るよりも、低温に長時間入ることが健康に良いなどとも言われてい
ることがあり、入浴者は温度と入浴時間を見ることができるので、適切な時間入浴することができる。
【００３９】
入浴者有無判定手段２８が入浴者無しと判定したときの液晶ディスプレイ２６の表示を図３に示す。図３において時計表示部３１、給湯温度表示部３２、風呂温度表示部３３、水位表示部３４は、図２で前述した入力者有りの場合と同様の表示である。入浴者有りの場合と異なる表示をしているのが洗い方表示部３６である。
【００４０】
使用者は入浴していなければ入浴時間表示は必要ない。使用者が入浴していないとき、多くの場合は浴室にいて体を洗っている。この体の洗い方にも適切な洗い方があり、例えば体内に張りめぐらされているリンパ管の流れをよくするような、いわゆるつぼを刺激するような洗い方である。リンパ管の中を流れるリンパ液の流れを良くすることで、むくみ、こり、冷え、便秘などを抑制し健康を増進する効果があることは知られている。
【００４１】
洗い方表示部３６では、このような適切な洗い方として、洗う部位の順番、擦る方向などをわかるようにアニメーションで表示する。そして、使用者はこの洗い方表示部３６で表示されるとおりに真似をして洗えば適切な洗い方ができて、健康増進をはかることができる。
【００４２】
本実施の形態において、液晶ディスプレイ２６は白／黒で表示するものとして説明したが、カラー表示するものであっても良い。カラーにすることで、よりわかり易い表示にすることができ、特に洗い方表示部３６による洗い方の表示では体の肌色や泡の白色をうまく表現することで、白／黒とは違って格段にわかり易い表示になる。
【００４３】
（実施の形態２）
図４は本発明の第２の実施の形態における制御手段２４を示す構成図である。図４において、図１と同様の機能を有する同一の番号を付し説明を省略する。図４に示されるように、アンテナ３７とワンセグテレビチューナを内蔵したテレビモジュール３８を接続することで、液晶ディスプレイ２６でテレビ放送を表示することを可能にする。特に入浴中は一般にゆったりとリラックスできるものであり、テレビ放送でも見ることができる。
【００４４】
そのために、入浴者有無判定手段２８により入浴者有りと判定したときには、表示制御手段２９はテレビモジュール３８から入力するテレビ放送の画像を液晶ディスプレイ２６に表示する。
【００４５】
また、３９は音声制御手段であり、入浴者有無判定手段２８が入浴者有りと判定したときにはテレビモジュール３８から音声信号を入力し、風呂リモコン２５に備えたスピーカ５２で出力する。この構成で、使用者は浴槽１７に入浴すると、テレビ放送の視聴を楽しむことができる。
【００４６】
図５は入浴者有無判定手段２８が入浴者有りと判定したときの液晶ディスプレイ２６の表示の例である。時計表示部３１、給湯温度表示部３２、風呂温度表示部３３、水位表示部３４は表示サイズを小さくして端に寄せて表示し、大きい場所を確保してテレビ放送表示部４０を備えている。
【００４７】
こうした表示レイアウトによりできるだけ大きい表示で、入浴中にテレビ放送を楽しむことができる。また入浴者有無判定手段２８で入浴者無しと判定したときには液晶ディスプレイ２６では図３に示す表示を行うことは実施の形態１と同じである。
【００４８】
（実施の形態３）
図６は本発明の第３の実施の形態における風呂給湯装置の部分構成図である。図６において実施の形態１を説明する図１と同じ機能を有する部品には同一番号を付し説明を省略する。
【００４９】
図６において、制御手段２４は適切入浴時間算出手段４１を備えるものであり、適切入浴時間算出手段４１は、風呂水温度センサ２０が検出する浴槽１７の湯の温度と水位センサ２１が検出する浴槽１７の水位に基づき適切な入浴時間を算出する。
【００５０】
浴槽１７の湯の温度と入浴時間の関係は、一般に高温であれば短時間、低温であれば長時間が適切とされている。また低温で長時間入浴することが健康に良いとも言われていて、高温で長時間入浴することは危険な面もある。また半身浴と全身浴があり、浴槽１７の湯の温度が同じであっても半身浴なら全身浴より長時間入浴することが望ましい。
【００５１】
適切入浴時間算出手段４１は、例えば、風呂水温度センサ２０が検出する浴槽１７の湯の温度を３８℃から４３℃まで１℃区切りで６段階、水位センサ２１が検出する浴槽１７の水位より全身浴か半身浴かの区別をして２段階、それらの組合せで合計１２通りの条件に対して予め設定した適切な入浴時間を記憶していて、その中から条件に合う入浴時間を抽出する。
【００５２】
そして、表示制御手段は、適切入浴時間算出手段４１で算出された適切な入浴時間と、入浴タイマー３０がカウントしている入浴時間を液晶ディスプレイ２６に表示する。
【００５３】
本発明の第３の実施の形態において、入浴者有無判定手段２８が入浴者有りと判定したときの液晶ディスプレイ２６の表示を図７に示す。
【００５４】
図７において、実施の形態１を説明する図２と同じ機能を有する部分には同じ番号を付し説明を省略する。
【００５５】
図７に示されるように、適切入浴時間表示部４２は、適切入浴時間算出手段４１で算出した時間を「目安」という表現で表示する。また入浴時間表示部３５は入浴時間を表示するとともに、目安時間に対する割合をわかりやすく例えば円グラフなどを使って表示する。
【００５６】
以上のように本実施の形態によれば、浴槽１７に入浴者がいるときには、入浴時間を表示するとともに、浴槽１７の温度と水位により適切な入浴時間を算出して表示するので、使用者にとっての利便性が向上する。
【００５７】
（実施の形態４）
図８は本発明の第４の実施の形態における風呂給湯装置の部分構成図である。図８において実施の形態１を説明する図１と同じ機能を有する部品には同一番号を付し説明を省略する。
【００５８】
図８に示されるように、第２のリモコン４３は、風呂リモコン２５と異なる場所、例えば台所や洗面所などに設置される。第２のリモコン４３は風呂リモコン２５と同様に第２の表示手段である液晶ディスプレイ４４と複数のボタンよりなる第２の操作部４５を有するものであり、液晶ディスプレイ４４は風呂リモコン２５の表示手段と同様にドットマトリクス方式である。
【００５９】
この風呂リモコン２５もまた制御手段２４により制御するものであって、制御手段２４は液晶ディスプレイ２６の表示内容の制御を行い、また使用者が操作する操作部２７から
の情報を入力し液晶ディスプレイ２６の表示内容や、圧縮機２、減圧手段４、吸熱ファン１１、送水ポンプ１９、流量可変弁２３などの出力を制御する。
【００６０】
第２の制御手段４６は、制御手段２４と同様にそれぞれが通信手段４７、第２の通信手段４８を備えていて、互いの情報を通信し合うことで共有している。第２の制御手段４６は第２の操作部４５からの操作信号を受けると、第２の液晶ディスプレイ４４の表示内容の制御を行い、また第２の通信手段４８から通信手段４７へと通信し、制御手段２４が圧縮機や減圧手段、吸熱ファン、送水ポンプ、流量可変弁などの出力を制御する。
【００６１】
また水位センサや給湯温度センサ、風呂水温度センサなどのセンサの情報や入浴タイマーのカウントしている入浴時間、入浴者有無の情報などは制御手段２４から通信手段４７、第２の通信手段４８を介して第２の制御手段４６が受信し、第２の表示制御手段である表示制御手段４９が第２の液晶ディスプレイの表示を制御する。
【００６２】
この構成によって第２の液晶ディスプレイ４４でも液晶ディスプレイ２６と全く同じ表示をすることが可能であり、入浴者有無判定手段２８が入浴者有りと判定したときには、実施の形態１で説明した図２と全く同じ表示をすることができ、台所や洗面所など別の場所にいる別の人にも入浴時間を知らせることができて、利便性が更に向上する。
【００６３】
また表示制御手段４９は上限時間設定部５０を備えている。上限時間設定部５０は実施の形態３における適切入浴時間算出手段と同様に、浴槽の湯の温度を３８℃から４３℃まで１℃区切りで６段階、浴槽の水位より全身浴か半身浴かの区別をして２段階、それらの組合せで合計１２通りの条件に対して予め設定した入浴の上限時間を記憶していて、制御手段２４から送られてくる水位の情報と浴槽の湯の温度情報から上限時間を設定する。
【００６４】
上限時間は温度が高いほど短く、半身浴は全身浴より長く、そして適切入浴時間よりも長い時間を設定している。表示制御手段４９は、制御手段２４か送られてくる入浴タイマーのカウント時間が、この上限時間設定部５０で設定した時間を越えると、そのことを第２の液晶ディスプレイ４４に表示して、風呂とは違う別の場所で、入浴している人とは違う別の人に注意を促す表示を行う。
【００６５】
入浴時間が上限時間設定部５０で設定した上限時間を越えたときの第２の液晶ディスプレイ４４の表示の例を図９に示す。
【００６６】
時計表示部３１での時刻の表示、給湯温度表示部３２での給湯温度の表示、風呂温度表示部３３での浴槽の湯の表示、水位表示部３４での浴槽の水位の表示、入浴時間表示部３５での入浴時間の表示のほかに、警告表示部５１において警告表示を行う。この警告表示は色を変えたり点滅させたりして、目立つようにしている。
【００６７】
このように浴槽での入浴時間が長すぎるときには使用者の健康を損なう可能性があり、更には危険が及ぶ可能性があり、それを風呂とは異なる別の場所で別の人が知ることができれば、救助することも可能であり、風呂での安全、安心を提供することができるようになる。第２のリモコン４３にブザーなどの報知手段を備えて、このような場合には音でも報知すれば、なおわかりやすい。
【産業上の利用可能性】
【００６８】
以上のように本発明は、水位センサにより浴槽の水位を検出し、その水位の変化から入浴者有無判定手段が浴槽に入浴者がいるかどうかを判定し、その判定結果により表示制御手段が風呂リモコンの表示手段の表示内容を変更するので、使用者が浴槽にいる場合と浴槽にいない場合とでそれぞれ欲しい情報をわかりやすく表示することが可能となるので、
電気、ガス、石油など各種熱源での風呂、給湯装置に適用できる。
【符号の説明】
【００６９】
１７  浴槽
２０  風呂水温度センサ
２１  水位センサ
２４  制御手段
２５  風呂リモコン
２６、４４  液晶ディスプレイ
２７、４５  操作部
２８  入浴者有無判定手段
２９、４９  表示制御手段
３０  入浴タイマー
４１  適切入浴時間算出手段
４３  第２のリモコン
４７、４８  通信手段
５０  上限時間設定部
【図１】
2012107767.tif 000003
【図２】
2012107767.tif 000004
【図３】
2012107767.tif 000005
【図４】
2012107767.tif 000006
【図５】
2012107767.tif 000007
【図６】
2012107767.tif 000008
【図７】
2012107767.tif 000009
【図８】
2012107767.tif 000010
【図９】
2012107767.tif 000011